(57)【要約】【課題】良好な光学性能を達成しつつ、広角、高倍率且つ小型軽量なズームレンズを提供する。【解決手段】物体側より順に正の屈折力の第１レンズ群、負の屈折力の第２、最も像側に結像用のレンズ群を有するズームレンズにおいて、第１レンズ群の構成、第１レンズ群内の負レンズの硝材、屈折力を適切に設定する。【選択図】  図１
2018116182.tif 000002
【特許請求の範囲】
【請求項１】
物体側から像側へ順に、変倍のためには移動せず合焦に際して移動する正の屈折力を有する第１レンズ群、広角端から望遠端への変倍に際して像側に移動する負の屈折力を有する第２レンズ群を有し、最も像側に配置され変倍のためには移動しないリレーレンズ群を有するズームレンズにおいて、
前記第１レンズ群は、物体側から像側へ順に、負レンズ、正レンズ、正レンズ、正レンズ、正レンズの５枚のレンズで構成され、または物体側から像側へ順に、正レンズ、負レンズ、正レンズ、正レンズ、正レンズ、正レンズの６枚のレンズで構成であり、
前記第１レンズ群の負レンズの屈折率をＮｎ、アッべ数をνｎ、焦点距離をｆｎ、前記第１レンズ群の焦点距離をｆ１をするとき
３９＜νｎ＜４８
２．２４＜Ｎｎ＋０．０１×νｎ＜２．３２
１．７９＜Ｎｎ＜１．９１
１．５＜｜ｆｎ／ｆ１｜＜２．０
なる条件を満足することを特徴とするズームレンズ。
なお、フラウンフォーファ線のＦ線、ｄ線、Ｃ線に対する屈折率をそれぞれＮＦ、Ｎｄ、ＮＣとするとき、アッベ数νは、
ν＝（Ｎｄ−１）／（ＮＦ−ＮＣ）
で表されるものとする。
【請求項２】
前記第１レンズ群を構成する前記正レンズの分散の平均値をνｐａとするとき
７７＜νｐａ＜１００
なる条件を満足することを特徴とする請求項１に記載のズームレンズ。
【請求項３】
物体側から像側へ順に、前記第１レンズ群、前記第２レンズ群、変倍に際して移動する第３レンズ群、前記リレーレンズ群から構成される、ことを特徴とする請求項１又は２に記載のズームレンズ。
【請求項４】
物体側から像側へ順に、前記第１レンズ群、前記第２レンズ群、変倍に際して移動する第３レンズ群、変倍に際して移動する第４レンズ群、前記リレーレンズ群から構成されることを特徴とする請求項１又は２に記載のズームレンズ。
【請求項５】
物体側から像側へ順に、前記第１レンズ群、前記第２レンズ群、変倍に際して移動する第３レンズ群、変倍に際して移動する第４レンズ群、変倍に際して移動する第５レンズ群、前記リレーレンズ群から構成される、ことを特徴とする請求項１又は２に記載のズームレンズ。
【請求項６】
前記第２レンズ群を構成する正レンズのうち最もアッべ数の小さい正レンズのアッベ数、部分分散比をそれぞれνｐ２、θｐ２、前記第２レンズ群を構成する負レンズのうち最もアッべ数の小さい負レンズのアッベ数、部分分散比をそれぞれνｎ２、θｎ２とするとき、
３．１×１０−３＜（θｐ２−θｎ２）／（νｎ２−νｐ２）＜６．０×１０−３
なる条件を満足することを特徴とする請求項１乃至５いずれか１項に記載のズームレンズ。
なお、フラウンフォーファ線のｇ線、Ｆ線、Ｃ線に対する屈折率をそれぞれＮｇ、ＮＦ、ＮＣとするとき、部分分散比θは、
θ＝（Ｎｇ−ＮＦ）／（ＮＦ−ＮＣ）
で表されるものとする。
【請求項７】
前記第１レンズ群の焦点距離をｆ１、前記第２レンズ群の焦点距離をｆ２とするとき
３＜｜ｆ１／ｆ２｜＜９
なる条件を満足することを特徴とする請求項１乃至６のいずれか１項に記載のズームレンズ。
【請求項８】
請求項１乃至７のいずれか１項に記載のズームレンズと、該ズームレンズによって形成した像を受光する撮像素子と、を有していることを特徴とする撮像装置。 
【発明の詳細な説明】
【技術分野】
【０００１】
本発明は、テレビカメラやビデオカメラ及び写真用カメラ、デジタルカメラに好適なズームレンズに関し、広角、高倍率且つ小型軽量なズームレンズに関するものである。
【背景技術】
【０００２】
近年、テレビカメラ、銀塩フィルム用カメラ、デジタルカメラ、ビデオカメラ等の撮像装置には、広画角、高ズーム比でしかも高い光学性能を有したズームレンズが要望されている。大口径比、広画角、高ズーム比のズームレンズとして、最も物体側に正の屈折力のレンズ群を配置し、第１群の一部で合焦を行うポジティブリード型のズームレンズが知られている。また、ズーム方式としては、物体側から順に、変倍中固定の正の屈折力の第１レンズ群、変倍用に移動の負の屈折力の第２レンズ群、そして最も像面側に変倍中固定の結像用のレンズ群から構成されるズームレンズが知られている。
【０００３】
特許文献１には、ズーム比４０倍程度、広角端の画角２７°程度の高倍率ズームレンズが提案されている。
【先行技術文献】
【特許文献】
【０００４】
【特許文献１】特開２０１１−８１０６３号公報
【発明の概要】
【発明が解決しようとする課題】
【０００５】
上述のポジティブリード型のズームレンズにおいて、小型化、広画角化を維持しつつ、高倍率化と望遠側における高い光学性能を両立するには第１レンズ群の構成、屈折力、フォーカス方式を適切に設定することが重要になってくる。これらの構成を適切に設定しないと、広画角かつ高倍率で望遠端における高い光学性能のズームレンズを得るのが難しくなってくる。
【０００６】
特許文献１に開示されているズームレンズでは、高倍率化に伴い、ズーミング中の軸上色収差、望遠端の周辺における諸収差が増大する傾向があった。
【０００７】
本発明は広画角、高ズーム比でしかも望遠端における高い光学性能を有し、良好なズーム動作を持つズームレンズ及びそれを有する撮像装置の提供を目的とする。
【課題を解決するための手段】
【０００８】
上記目的を達成するために、本発明は、物体側から順に変倍の際に変倍中固定で合焦を行う正の屈折力の第１レンズ群、変倍時に可動で広角端から望遠端にかけて像側に移動する負の屈折力の第２群、最も像側に配置され変倍時に固定のレンズ群を有するズームレンズにおいて、
第１群は物体側から順に負レンズ、正レンズ、正レンズ、正レンズ、正レンズの５枚構成、または物体側から順に正レンズ、負レンズ、正レンズ、正レンズ、正レンズ、正レンズの６枚構成であり、
前記、第１レンズ群内の負レンズの屈折率をＮｎ、アッべ数をνｎ、焦点距離をｆｎ、第１群のレンズ群の焦点距離をｆ１をするとき
３９＜νｎ＜４８  ・・・（１）
２．２４＜Ｎｎ＋０．０１×νｎ＜２．３２  ・・・（２）
１．７９＜Ｎｎ＜１．９１  ・・・（３）
１．５＜｜ｆｎ／ｆ１｜＜２．０  ・・・（４）
なる条件を満足する事を特徴とするズームレンズ。
本発明の更なる目的又はその他の特徴は、以下、添付の図面を参照して説明される好ましい実施例等によって明らかにされるであろう。
【発明の効果】
【０００９】
本発明によれば、広画角、高ズーム比でしかも望遠端における高い光学性能を有するズームレンズ及びそれを有する撮像装置が得られる。
【図面の簡単な説明】
【００１０】
【図１】数値実施例１のズームレンズの広角端で無限遠物体に合焦時のレンズ断面図である。
【図２】数値実施例１のズームレンズの無限遠物体に合焦時の（Ａ）広角端、（Ｂ）望遠端での収差図である。
【図３】数値実施例２のズームレンズの広角端で無限遠物体に合焦時のレンズ断面図である。
【図４】数値実施例２のズームレンズの無限遠物体に合焦時の（Ａ）広角端、（Ｂ）望遠端での収差図である。
【図５】数値実施例３のズームレンズの広角端で無限遠物体に合焦時のレンズ断面図である。
【図６】数値実施例３のズームレンズの無限遠物体に合焦時の（Ａ）広角端、（Ｂ）望遠端での収差図である。
【図７】数値実施例４のズームレンズの広角端で無限遠物体に合焦時のレンズ断面図である。
【図８】数値実施例４のズームレンズの無限遠物体に合焦時の（Ａ）広角端、（Ｂ）望遠端での収差図である。
【図９】数値実施例５のズームレンズの広角端で無限遠物体に合焦時のレンズ断面図である。
【図１０】数値実施例５のズームレンズの無限遠物体に合焦時の（Ａ）広角端、（Ｂ）望遠端での収差図である。
【図１１】数値実施例６のズームレンズの広角端で無限遠物体に合焦時のレンズ断面図である。
【図１２】数値実施例６のズームレンズの無限遠物体に合焦時の（Ａ）広角端、（Ｂ）望遠端での収差図である。
【図１３】数値実施例７のズームレンズの広角端で無限遠物体に合焦時のレンズ断面図である。
【図１４】数値実施例７のズームレンズの無限遠物体に合焦時の（Ａ）広角端、（Ｂ）望遠端での収差図である。
【図１５】本発明の撮像装置の実施形態を説明する図である。
【発明を実施するための形態】
【００１１】
本発明のズームレンズは、物体側から像側へ順に、変倍のためには移動せず合焦に際して移動する正の第１レンズ群、広角端から望遠端への変倍に際して像側に移動する負の第２レンズ群を有し、最も像側に配置され変倍のためには移動しないリレーレンズ群より構成される。
第１レンズ群は物体側から像側へ順に配列された、負、正、正、正、正の５枚のレンズで構成されるか、または物体側から像側へ順に配列された、正、負、正、正、正、正の６枚のレンズで構成される。
【００１２】
第１レンズ群の負レンズの屈折率をＮｎ、アッべ数をνｎ、焦点距離をｆｎ、第１レンズ群の焦点距離をｆ１をするとき、
３９＜νｎ＜４８  ・・・（１）
２．２４＜Ｎｎ＋０．０１×νｎ＜２．３２  ・・・（２）
１．７９＜Ｎｎ＜１．９１  ・・・（３）
１．５＜｜ｆｎ／ｆ１｜＜２．０  ・・・（４）
なる条件を満足することを特徴とする。
【００１３】
条件式（１）、（２）、（３）は、第１レンズ群内の負レンズの光学硝子の特性を規定している。通常光学硝子は何種類もの金属酸化物を含有している。例えばＳｉＯ２、ＴｉＯ２、Ｌａ２Ｏ３、Ａｌ２Ｏ３、Ｎｂ２Ｏ５、ＺｒＯ２、Ｇｄ２Ｏ３等である。その中で例えばＴｉＯ２は屈折率を高め、アッベ数を小さくする効果があり、ＴｉＯ２を多く含有する硝子は比較的高屈折率高分散の特性を有する。またＧｄ２Ｏ３は屈折率を高めアッベ数を大きくする効果があり、Ｇｄ２Ｏ３を多く含有する硝子は比較的高屈折率低分散となることが知られている。元々のＴｉＯ２やＧｄ２Ｏ３がそれぞれ高屈折高分散、高屈折率低分散であり、それらを含む硝子の特性が元々の金属酸化物の特性に近づくことになる。
このように光学硝子はその含有する成分の量によって特性が変わる性質があり、その成分の量を適切に設定することで所望の光学特性を持つ光学硝子が得られる。これは光学セラミックスにおいても同様で、例えば高屈折率低分散な物質を多く含む光学セラミックスは結果的に比較的高屈折率低分散となる。
【００１４】
高屈折率低分散な物質としては、前述のＧｄ２Ｏ３やＡｌ２Ｏ３、Ｌｕ３Ａｌ５Ｏ１２がある。これらの物質とＳｉＯ２、ＴｉＯ２、Ｌａ２Ｏ３等の金属酸化物の分量を適切に設定し溶解又は焼結させることで、所望の光学特性（屈折率、アッベ数）を持つ光学硝子やセラミックス等の光学材料を得ることができる。
【００１５】
また上記ズーム構成を有するズームレンズにおいては、焦点距離が望遠側に近付くにつれ、第１レンズ群の軸上光線の高さが焦点距離に比例して増大する。この軸上光線の高さが高くになる従って、第１レンズ群で発生する色収差がより拡大され、性能の劣化につながる。
【００１６】
ここで第１レンズ群の色収差量を△１、第１群以降の結像倍率をβｒとすると、レンズ全系における色収差量△は以下の式で表される。
△＝  △１・βｒ２＋α
αは第１レンズ群以外の群の色収差△への寄与分である。△は、望遠側で軸上マージナル光線が高い位置を通る第１群で顕著に発生する。従って、第１レンズ群で発生する軸上色収差二次スペクトル量△１を抑制することで望遠側の軸上色収差△を低減することができる。
【００１７】
条件式（１）は、前記第１レンズ群を構成する負レンズのアッベ数の条件を規定している。条件式（１）の下限を越えると、正レンズと負レンズの分散（アッべ数νｄ）を適切な範囲で近付き、硝材選択の関係上、正レンズと負レンズの分散特性（部分分散比θｇｆ）を近付けることができ、第１レンズ群で発生する軸上色収差二次スペクトル量△１を抑制すること可能となる。条件式（１）の上限を越えると、第１レンズ群における各単レンズの屈折力が大きくなり、望遠端の諸収差、特に球面収差、コマ収差の補正が困難となってくる。また低分散かつ高屈折率のガラス硝材を製造することが困難となる。
更に好ましくは、条件式（１）を次の如く設定するのが良い。
４０＜νｎ＜４４  ・・・（１ａ）
【００１８】
条件式（２）は、第１レンズ群を構成する負レンズのアッベ数と屈折率の関係式を規定している。
条件式（２）の下限を越えると、負レンズのガラスが、高屈折率かつ低分散でなくなるため、望遠端の色収差を良好に補正することが困難となる。条件式（２）の上限を越えると、低分散かつ高屈折率のガラス硝材を製造することが困難となる。
更に好ましくは、条件式（２）を次の如く設定するのが良い。
２．２５＜Ｎｎ＋０．０１×νｎ＜２．３０  ・・・（２ａ）
【００１９】
条件式（３）は、第１レンズ群を構成する負レンズの屈折率の条件を規定している。条件式（３）の下限を越えると、負レンズの曲率が増大するため、望遠端の諸収差、特に球面収差、コマ収差の補正が困難となる。条件式（３）の上限を越えると、低分散かつ高屈折率のガラス硝材を製造することが困難となる。
更に好ましくは、条件式（３）を次の如く設定するのが良い。
１．８０＜Ｎｎ＜１．８９  ・・・（３ａ）
【００２０】
条件式（４）は、第１レンズ群を構成する負レンズの屈折力に対する、第１レンズ群の屈折力の比を規定している。
条件式（４）の上限、下限を超えると、第１レンズ群を構成する負レンズの色収差の発生を正レンズにより適正に補正することが困難となり、望遠端の軸上色収差、倍率色収差の補正が困難となる。
更に好ましくは、条件式（４）を次の如く設定するのが良い。
１．５１＜｜ｆｎ／ｆ１｜＜１．９  ・・・（４ａ）
【００２１】
本発明の更なる実施態様として、条件式（５）により第１レンズ群内の正レンズの分散の平均値νｐａを規定している。
７７＜νｐａ＜１００  ・・・（５）
【００２２】
条件式（５）の下限値を下回ると、第１レンズ群における各単レンズの屈折力が大きくなり、望遠端の諸収差、特に球面収差、コマ収差の補正が困難となってくる。
条件式（５）の上限値を上回ると、低分散なガラス硝材を製造することが困難となる。  更に好ましくは、条件式（５）を次の如く設定するのが良い。
８２＜νｐａ＜９６  ・・・（５ａ）
【００２３】
本発明の更なる実施態様として、第３レンズ群以降のレンズ構成・レンズ群の屈折力を規定することにより、高倍率、広画角でしかも全ズーム範囲にわたり高い光学性能を有するズームレンズを得るための条件を規定している。条件式（５）の構成を取ることにより、レンズ全長を維持したまま、高倍率化を達成することができる。
【００２４】
本発明の更なる実施態様として、条件式（６）により第２レンズ群内のレンズ材料の分散特性の条件を規定している。第２レンズ群を構成する正レンズのうち最もアッべ数の小さい正レンズのアッベ数、部分分散比をそれぞれ、νｐ２、θｐ２、第２レンズ群を構成する負レンズのうち最もアッべ数の小さい負レンズのアッベ数、部分分散比をそれぞれ、νｎ２、θｎ２、としたとき、以下の条件式を満足する。
３．１×１０−３＜（θｐ２−θｎ２）／（νｎ２−νｐ２）＜６．０×１０−３
・・・（６）
【００２５】
条件式（６）の下限を越えると、第１レンズ群の色収差の発生を、第２レンズ群により補正する効果が不足してしまい、ズーミングによる軸上色収差の変動を良好に補正することが困難となってくる。条件式（６）上限を上回ると、第２レンズ群により発生する色収差により倍率色収差の変動を良好に補正することが困難となってくる。また硝材選択が限定的となるため、第２レンズ群内の正レンズと負レンズの分散が近くなり、各単レンズの屈折力が増大する。その結果、望遠端の諸収差の良好な補正が困難となる。
更に好ましくは条件式（６）を次の如く設定するのが良い。
３．４×１０−３＜（θｐ２−θｎ２）／（νｎ２−νｐ２）＜５．６×１０−３
・・・・（６ａ）
【００２６】
本発明の更なる実施態様として、条件式（７）により第１レンズ群と第２レンズ群の焦点距離ｆ１、ｆ２の比を規定している。
３＜｜ｆ１／ｆ２｜＜９  ・・・（７）
【００２７】
条件式（７）の上限を上回ると、第２レンズ群の屈折力が第１レンズ群の屈折力に対して相対的に強くなり過ぎ、諸収差の変動が増大し、補正が困難となる。
条件式（７）の下限を下回ると、第２レンズ群の屈折力が第１レンズ群の屈折力に対して相対的に弱くなり過ぎ、第２レンズ群の変倍時の移動量が増大し、小型化と高倍率化の両立を達成することが困難となる。
次に各数値実施例の特徴について説明する。
【実施例１】
【００２８】
本発明の数値実施例１のズームレンズは、物体側から像側へ順に、変倍のためには移動せず合焦に際して移動する正の第１レンズ群、広角端から望遠端への変倍に際して像側に移動する負の第２レンズ群、変倍に際して移動する負の第３レンズ群、変倍のためには移動しない結像のための正のリレーレンズ群より構成される。
第１レンズ群は、物体側から像側へ順に、負、正、正、正、正の５枚のレンズで構成されている。
【００２９】
図１は本発明の数値実施例１のズームレンズの広角端で無限遠物体に合焦しているときのレンズ断面図である。レンズ断面図において、左方が被写体側（物体側）で、右方が像側である。
【００３０】
Ｕ１はズーミング中不動の正の屈折力の第１レンズ群である。第１レンズ群の一部は無限遠から有限距離へのフォーカス調整に際して像側から物体側へ移動する。Ｕ２は広角端（短焦点距離端）から望遠端（長焦点距離端）へのズーミングに際して像側へ移動する変倍用の負の屈折力の第２レンズ群（バリエーターレンズ群）である。Ｕ３はズーミングに際して移動する負の屈折力の第３レンズ群である。ＳＰは開口絞りである。ＵＲはズーミング中不動のリレーレンズ群である。Ｐは光学フィルタや色分解光学系に相当し、図中ではガラスブロックとして示している。Ｉは像面であり、撮像素子（光電変換素子）の撮像面に相当する。
【００３１】
図２に数値実施例１のズームレンズの無限遠物体に合焦している時の、（Ａ）広角端、（Ｂ）望遠端における収差図を示す。各収差図において、球面収差はｅ線、ｇ線、Ｃ線によって表されている。非点収差はｅ線のメリディオナル像面（Ｍ）とｅ線のサジタル像面（Ｓ）によって表されている。歪曲はｅ線によって、倍率色収差はｇ線、Ｃ線によって表されている。また、球面収差は０．４ｍｍ、非点収差は０．４ｍｍ、歪曲は５％、倍率色収差は０．０５ｍｍのスケールで描かれている。ＦｎｏはＦナンバー、ωは半画角である。なお、広角端と望遠端は変倍用の第２レンズ群Ｕ２（バリエーターレンズ群）が機構上光軸上を移動可能な範囲の両端に位置したときのズーム位置をいう。これらは以下の数値実施例２〜７においても同様である。
【００３２】
表１に数値実施例１における各条件式対応値を示す。数値実施例１は条件式（１）〜（７）を満足している。これにより本発明のズームレンズは高ズーム比、広画角で望遠端における高い光学性能を有する小型軽量な撮像光学系を達成している。
【実施例２】
【００３３】
本発明の数値実施例２のズームレンズは、物体側から像側へ順に、変倍のためには移動せず合焦に際して移動する正の第１レンズ群、広角端から望遠端への変倍に際して像側に移動する負の第２レンズ群、変倍に際して移動する負の第３レンズ群、変倍に際して移動する負の第４レンズ群、変倍のためには移動しない正のリレーレンズ群より構成される。
第１レンズ群は、物体側から像側へ順に、負、正、正、正、正の５枚のレンズで構成されている。
【００３４】
図３は本発明の数値実施例２のズームレンズの広角端で無限遠物体に合焦しているときのレンズ断面図である。Ｕ１はズーミング中不動の正の屈折力の第１レンズ群である。第１レンズ群の一部は無限遠から有限距離へのフォーカス調整に際して像側から物体側へ移動する。Ｕ２は広角端から望遠端へのズーミングに際して像側へ移動する変倍用の負の屈折力の第２レンズ群（バリエーターレンズ群）である。Ｕ３はズーミングに際して移動する負の屈折力の第３レンズ群である。Ｕ４はズーミングに際して移動する負の屈折力の第４レンズ群である。ＳＰは開口絞りである。ＵＲはズーミングのためには移動しない正の屈折力のリレーレンズ群である。Ｐは光学フィルタや色分解光学系に相当し、図中ではガラスブロックとして示している。Ｉは像面であり、撮像素子（光電変換素子）の撮像面に相当する。
【００３５】
図４は、数値実施例２のズームレンズの無限遠物体に合焦時の、（Ａ）広角端、（Ｂ）望遠端での収差図である。
表１に数値実施例２における各条件式対応値を示す。数値実施例２は条件式（１）〜（７）を満足している。これにより本発明のズームレンズは高ズーム比、広画角で望遠端における高い光学性能を有する小型軽量な撮像光学系を達成している。
【実施例３】
【００３６】
本発明の数値実施例３のズームレンズは、物体側から像側へ順に、変倍のためには移動せず合焦に際して移動する正の第１レンズ群、広角端から望遠端への変倍に際して像側に移動する負の第２レンズ群、変倍に際して移動する負の第３レンズ群、変倍に際して移動する負の第４レンズ群、変倍に際して移動する正の第５レンズ群、変倍のためには移動しない正のリレーレンズ群より構成される。
第１レンズ群は、物体側から像側へ順に、正、負、正、正、正、正の６枚のレンズで構成されている。
【００３７】
図５は本発明の数値実施例３のズームレンズの広角端で無限遠物体に合焦しているときのレンズ断面図である。Ｕ１はズーミング中不動の正の屈折力の第１レンズ群である。第１レンズ群の一部は無限遠から有限距離へのフォーカス調整に際して像側から物体側へ移動する。Ｕ２は広角端から望遠端へのズーミングに際して像側へ移動する変倍用の負の屈折力の第２レンズ群（バリエーターレンズ群）である。Ｕ３はズーミングに際して移動する負の屈折力の第３レンズ群である。Ｕ４はズーミングに際して移動する負の屈折力の第４レンズ群である。Ｕ５はズーミングに際して移動する正の屈折力の第５レンズ群である。ＳＰは開口絞りである。ＵＲはズーミングのためには移動しない正の屈折力のリレーレンズ群である。Ｐは光学フィルタや色分解光学系に相当し、図中ではガラスブロックとして示している。Ｉは像面であり、撮像素子（光電変換素子）の撮像面に相当する。
【００３８】
図６は、数値実施例３のズームレンズの無限遠物体に合焦時の、（Ａ）広角端、（Ｂ）望遠端での収差図である。
表１に数値実施例３における各条件式対応値を示す。数値実施例３は条件式（１）〜（７）を満足している。これにより本発明のズームレンズは高ズーム比、広画角で望遠端における高い光学性能を有する小型軽量な撮像光学系を達成している。
【実施例４】
【００３９】
本発明の数値実施例４のズームレンズは、物体側から像側へ順に、変倍のためには移動せず合焦に際して移動する正の第１レンズ群、広角端から望遠端への変倍に際して像側に移動する負の第２レンズ群、変倍に際して移動する負の第３レンズ群、変倍に際して移動する負の第４レンズ群、変倍に際して移動する正の第５レンズ群、変倍のためには移動しない正のリレーレンズ群より構成される。
第１レンズ群は、物体側から像側へ順に、正、負、正、正、正、正の６枚のレンズで構成されている。
【００４０】
図７は本発明の数値実施例４のズームレンズの広角端で無限遠物体に合焦しているときのレンズ断面図である。Ｕ１はズーミング中不動の正の屈折力の第１レンズ群である。第１レンズ群の一部は無限遠から有限距離へのフォーカス調整に際して像側から物体側へ移動する。Ｕ２は広角端から望遠端へのズーミングに際して像側へ移動する変倍用の負の屈折力の第２レンズ群（バリエーターレンズ群）である。Ｕ３はズーミングに際して移動する負の屈折力の第３レンズ群である。Ｕ４はズーミングに際して移動する負の屈折力の第４レンズ群である。Ｕ５はズーミングに際して移動する正の屈折力の第５レンズ群である。ＳＰは開口絞りである。ＵＲズーミングのためには移動しない正の屈折力のリレーレンズ群である。Ｐは光学フィルタや色分解光学系に相当し、図中ではガラスブロックとして示している。Ｉは像面であり、撮像素子（光電変換素子）の撮像面に相当する。
【００４１】
図８は、数値実施例４のズームレンズの無限遠物体に合焦時の、（Ａ）広角端、（Ｂ）望遠端での収差図である。
表１に数値実施例４における各条件式対応値を示す。数値実施例４は条件式（１）〜（７）を満足している。これにより本発明のズームレンズは高ズーム比、広画角で望遠端における高い光学性能を有する小型軽量な撮像光学系を達成している。
【実施例５】
【００４２】
本発明の数値実施例５のズームレンズは、物体側から像側へ順に、変倍のためには移動せず合焦に際して移動する正の第１レンズ群、広角端から望遠端への変倍に際して像側に移動する負の第２レンズ群、変倍に際して移動する負の第３レンズ群、変倍に際して移動する正の第４レンズ群、変倍のためには移動しない正のリレーレンズ群より構成される。
第１レンズ群は、物体側から像側へ順に、正、負、正、正、正、正の６枚のレンズで構成されている。
【００４３】
図９は本発明の数値実施例５のズームレンズの広角端で無限遠物体に合焦しているときのレンズ断面図である。Ｕ１はズーミング中不動の正の屈折力の第１レンズ群である。第１レンズ群の一部は無限遠から有限距離へのフォーカス調整に際して像側から物体側へ移動する。Ｕ２は広角端から望遠端へのズーミングに際して像側へ移動する変倍用の負の屈折力の第２レンズ群（バリエーターレンズ群）である。Ｕ３はズーミングに際して移動する負の屈折力の第３レンズ群である。Ｕ４はズーミングに際して移動する正の屈折力の第４レンズ群である。ＳＰは開口絞りである。ＵＲはズーミングのためには移動しない正の屈折力のリレーレンズ群である。Ｐは光学フィルタや色分解光学系に相当し、図中ではガラスブロックとして示している。Ｉは像面であり、撮像素子（光電変換素子）の撮像面に相当する。
【００４４】
図１０は、数値実施例５のズームレンズの無限遠物体に合焦時の、（Ａ）広角端、（Ｂ）望遠端での収差図である。
表１に数値実施例５における各条件式対応値を示す。数値実施例５は条件式（１）〜（７）を満足している。これにより本発明のズームレンズは高ズーム比、広画角で望遠端における高い光学性能を有する小型軽量な撮像光学系を達成している。
【実施例６】
【００４５】
本発明の数値実施例６のズームレンズは、物体側から像側へ順に、変倍のためには移動せず合焦に際して移動する正の第１レンズ群、広角端から望遠端への変倍に際して像側に移動する負の第２レンズ群、変倍に際して移動する正の第３レンズ群、変倍に際して移動する正の第４レンズ群、変倍のためには移動しない正のリレーレンズ群より構成される。
第１レンズ群は、物体側から像側へ順に、負、正、正、正、正の５枚のレンズで構成されている。
【００４６】
図１１は本発明の数値実施例６のズームレンズの広角端で無限遠物体に合焦しているときのレンズ断面図である。Ｕ１はズーミング中不動の正の屈折力の第１レンズ群である。第１レンズ群の一部は無限遠から有限距離へのフォーカス調整に際して像側から物体側へ移動する。Ｕ２は広角端から望遠端へのズーミングに際して像側へ移動する変倍用の負の屈折力の第２レンズ群（バリエーターレンズ群）である。Ｕ３はズーミングに際して移動する正の屈折力の第３レンズ群である。Ｕ４はズーミングに際して移動する正の屈折力の第４レンズ群である。ＳＰは開口絞りである。ＵＲはズーミングのためには移動しない正の屈折力のリレーレンズ群である。Ｐは光学フィルタや色分解光学系に相当し、図中ではガラスブロックとして示している。Ｉは像面であり、撮像素子（光電変換素子）の撮像面に相当する。
【００４７】
図１２は、数値実施例６のズームレンズの無限遠物体に合焦時の、（Ａ）広角端、（Ｂ）望遠端での収差図である。
表１に数値実施例６における各条件式対応値を示す。数値実施例６は条件式（１）〜（７）を満足している。これにより本発明のズームレンズは高ズーム比、広画角で望遠端における高い光学性能を有する小型軽量な撮像光学系を達成している。
【実施例７】
【００４８】
本発明の数値実施例７のズームレンズは、物体側から像側へ順に、変倍のためには移動せず合焦に際して移動する正の第１レンズ群、広角端から望遠端への変倍に際して像側に移動する負の第２レンズ群、変倍に際して移動する負の第３レンズ群、変倍に際して移動する正の第４レンズ群、変倍のためには移動しない正のリレーレンズ群より構成される。
第１レンズ群は、物体側から像側へ順に、負、正、正、正、正の５枚のレンズで構成されている。
【００４９】
図１３は本発明の数値実施例７のズームレンズの広角端で無限遠物体に合焦しているときのレンズ断面図である。Ｕ１はズーミング中不動の正の屈折力の第１レンズ群である。第１レンズ群の一部は無限遠から有限距離へのフォーカス調整に際して像側から物体側へ移動する。Ｕ２は広角端から望遠端へのズーミングに際して像側へ移動する変倍用の負の屈折力の第２レンズ群（バリエーターレンズ群）である。Ｕ３はズーミングに際して移動する負の屈折力の第３レンズ群である。Ｕ４はズーミングに際して移動する正の屈折力の第４レンズ群である。ＳＰは開口絞りである。ＵＲはズーミングのためには移動しない正の屈折力のリレーレンズ群である。Ｐは光学フィルタや色分解光学系に相当し、図中ではガラスブロックとして示している。Ｉは像面であり、撮像素子（光電変換素子）の撮像面に相当する。
【００５０】
図１４は、数値実施例７のズームレンズの無限遠物体に合焦時の、（Ａ）広角端、（Ｂ）望遠端での収差図である。
表１に数値実施例７における各条件式対応値を示す。数値実施例７は条件式（１）〜（７）を満足している。これにより本発明のズームレンズは高ズーム比、広画角で望遠端における高い光学性能を有する小型軽量な撮像光学系を達成している。
【００５１】
以下の各数値実施例１〜７の数値データを示す。各数値データにおいて、ｉは物体側からの面番号、ｒｉは物体側より第ｉ番目の面の曲率半径、ｄｉは第ｉ番目の面と第ｉ＋１番目の面の間隔、ｎｄｉとνｄｉは第ｉ番目の面と第ｉ＋１番目の面の間の光学部材のｄ線（５８７．６ｎｍ）に対する屈折率とアッベ数である。
【００５２】
なお、フラウンフォーファ線のｇ線、Ｆ線、ｄ線、Ｃ線に対する屈折率をそれぞれＮｇ、ＮＦ、Ｎｄ、ＮＣとするとき、アッベ数νｄ、部分分散比θｇｆの定義は一般的に用いられる以下の式で表される。
νｄ＝（Ｎｄ−１）／（ＮＦ−ＮＣ）
θｇｆ＝（Ｎｇ−ＮＦ）／（ＮＦ−ＮＣ）
【００５３】
非球面形状は光軸方向にＸ軸、光軸と垂直方向にＨ軸、光の進行方向を正とし、Ｒを近軸曲率半径、ｋを円錐常数、Ａ３、Ａ４、Ａ５、Ａ６、Ａ７、Ａ８、Ａ９、Ａ１０、Ａ１１、Ａ１２、Ａ１３、Ａ１４、Ａ１５、Ａ１６を各々非球面係数としたとき、次式で表される。
【数１】
2018116182.tif 000003
また、数値データ中、「ｅ−Ｚ」は「×１０−Ｚ」を意味する。面番号の横に付された記号＊はその光学面が非球面であることを示している。
【００５４】
＜数値実施例１＞
単位 mm
面データ
面番号i     ri        di       ndi       vdi      θgFi    有効径   焦点距離
1      183.38205   3.00000  1.851500   40.78    0.5695    107.317   -299.999
2      106.20042   1.07300                                104.856           
3      105.24783  15.02434  1.433870   95.10    0.5373    105.542    277.864
4      779.51784  11.15000                                105.422           
5      165.31760   6.12449  1.433870   95.10    0.5373    105.304    669.343
6      378.23664   0.20000                                105.061           
7      160.28421   7.18852  1.433870   95.10    0.5373    104.154    537.649
8      502.55531   0.20000                                103.770           
9      138.33041   9.68950  1.433870   95.10    0.5373    101.093    358.855
10     1190.11331    (可変)                                100.504           
11       78.49053   1.00000  2.003300   28.27    0.5980     29.896    -27.011
12       20.13981   8.91847                                 25.967           
13      -31.92813   0.90000  1.816000   46.62    0.5568     25.580    -42.349
14     -400.35824   0.70000                                 26.428           
15       65.72626   4.13898  1.922860   18.90    0.6495     27.396     38.945
16      -79.02840   2.23382                                 27.392           
17      -66.32430   1.10000  1.816000   46.62    0.5568     26.678   -110.486
18     -249.25223    (可変)                                 26.682           
19      -47.61650   1.30000  1.717004   47.92    0.5605     28.434    -36.201
20       58.34616   3.27859  1.846490   23.90    0.6217     30.416     79.554
21      400.18520    (可変)                                 30.870           
22             ∞   4.05388                                 37.218           
23      226.67058   6.75742  1.607379   56.81    0.5483     40.360     70.385
24      -52.36155   0.15000                                 40.885           
25     3180.72058   3.29188  1.518229   58.90    0.5457     40.838    231.404
26     -125.09849   0.35000                                 40.820           
27       39.06865   9.43204  1.487490   70.23    0.5300     39.408     58.436
28      -98.06367   1.50000  1.834000   37.17    0.5774     38.312   -121.818
29    -2415.03003   0.15000                                 37.274           
30       36.73108   8.30910  1.487490   70.23    0.5300     34.520     53.864
31      -86.27365   1.50000  1.882997   40.76    0.5667     32.687    -25.097
32       30.30129  50.00000                                 29.408           
33     -120.62916   4.64093  1.517417   52.43    0.5564     31.772     94.501
34      -35.36457   2.54355                                 32.006           
35       63.07563   1.20000  1.785896   44.20    0.5631     29.131    -82.516
36       31.79036   6.49533  1.517417   52.43    0.5564     28.010     48.172
37     -109.65039   2.01000                                 27.264           
38       76.16107   5.44373  1.517417   52.43    0.5564     24.801     48.054
39      -36.25647   1.20000  1.834807   42.71    0.5642     23.497    -24.462
40       48.07162   0.66799                                 22.402           
41       33.72522   4.04093  1.487490   70.23    0.5300     22.524     67.643
42    -1680.64571   3.80000                                 22.178           
43             ∞  34.37500  1.608590   46.44    0.5664     31.250           
44             ∞  13.75000  1.516800   64.17    0.5347     31.250           
45             ∞   0.00000                                 31.250           
【００５５】
各種データ
ズーム比     40.00 
広角      中間      望遠
焦点距離       11.00     69.58    440.00  
Fナンバー       2.10      2.10      4.10  
画角           26.57      4.52      0.72  
像高            5.50      5.50      5.50  
レンズ全長    387.49    387.49    387.49  
BF              9.54      9.54      9.54  
d10             1.22     91.07    120.94  
d18           123.69     21.43     12.31  
d21            10.16     22.57      1.82  
d45             9.54      9.54      9.54  
入射瞳位置     74.99    549.83   2183.07  
射出瞳位置    756.96    756.96    756.96  
前側主点位置   86.15    625.88   2882.10  
後側主点位置   -1.46    -60.04   -430.46  
ズームレンズ群データ
群  始面    焦点距離  レンズ構成長  前側主点位置  後側主点位置
1    1     161.84        53.65        26.24        -15.14
2   11     -22.41        18.99         1.63        -13.63
3   19     -66.60         4.58         0.24         -2.27
4   22      87.71       165.66        96.66       -190.05
単レンズデータ
レンズ  始面  焦点距離
1       1   -300.00
2       3    277.86
3       5    669.34
4       7    537.65
5       9    358.86
6      11    -27.01
7      13    -42.35
8      15     38.94
9      17   -110.49
10      19    -36.20
11      20     79.55
12      23     70.38
13      25    231.40
14      27     58.44
15      28   -121.82
16      30     53.86
17      31    -25.10
18      33     94.50
19      35    -82.52
20      36     48.17
21      38     48.05
22      39    -24.46
23      41     67.64
24      43 
25      44 
【００５６】
＜数値実施例２＞
単位 mm
面データ
面番号i     ri        di       ndi       vdi      θgFi     有効径    焦点距離
1      244.49912   3.00000  1.851500   40.78    0.5695    107.317   -249.990
2      113.50168   1.07300                                105.259           
3      113.09472  16.49967  1.438750   94.93    0.5340    106.008    225.766
4     -778.08590  11.15000                                106.048           
5      131.53389   7.09222  1.496999   81.54    0.5375    105.522    499.736
6      273.70166   0.20000                                105.178           
7      141.78804   8.13059  1.496999   81.54    0.5375    103.917    405.638
8      465.55777   0.20000                                103.427           
9      263.20879   4.85331  1.496999   81.54    0.5375    102.191    718.636
10      986.38007    (可変)                                101.629           
11      228.28308   1.00000  2.003300   28.27    0.5980     29.404    -24.189
12       22.05348   8.46763                                 25.929           
13      -31.93035   0.90000  1.816000   46.62    0.5568     25.788    -40.325
14     -936.02346   0.70000                                 26.986           
15       73.32401   4.25046  1.922860   18.90    0.6495     28.321     40.399
16      -75.60692    (可変)                                 28.480           
17    -1238.40219   1.10000  1.816000   46.62    0.5568     28.202   -330.976
18      347.80223    (可変)                                 28.092           
19      -45.71318   1.30000  1.717004   47.92    0.5605     30.776    -35.904
20       60.31471   3.66203  1.846490   23.90    0.6217     33.255     78.338
21      590.34562    (可変)                                 33.752           
22             ∞   4.05388                                 40.157           
23      226.67058   6.75742  1.607379   56.81    0.5483     43.554     70.385
24      -52.36155   0.15000                                 43.841           
25     3180.72058   3.29188  1.518229   58.90    0.5457     43.661    231.404
26     -125.09849   0.35000                                 43.624           
27       39.06865   9.43204  1.487490   70.23    0.5300     41.707     58.436
28      -98.06367   1.50000  1.834000   37.17    0.5774     41.031   -121.818
29    -2415.03003   0.15000                                 39.789           
30       36.73108   8.30910  1.487490   70.23    0.5300     36.369     53.864
31      -86.27365   1.50000  1.882997   40.76    0.5667     34.971    -25.097
32       30.30129  50.00000                                 31.056           
33     -120.62916   4.64093  1.517417   52.43    0.5564     32.985     94.501
34      -35.36457   2.54355                                 33.186           
35       63.07563   1.20000  1.785896   44.20    0.5631     29.880    -82.516
36       31.79036   6.49533  1.517417   52.43    0.5564     28.660     48.172
37     -109.65039   2.01000                                 27.924           
38       76.16107   5.44373  1.517417   52.43    0.5564     25.225     48.054
39      -36.25647   1.20000  1.834807   42.71    0.5642     23.900    -24.462
40       48.07162   0.66799                                 22.464           
41       33.72522   4.04093  1.487490   70.23    0.5300     22.346     75.719
42      362.22377   3.80000                                 21.915           
43             ∞  34.37500  1.608590   46.44    0.5664     31.250           
44             ∞  13.75000  1.516800   64.17    0.5347     31.250           
45             ∞   0.00000                                 31.250           
【００５７】
各種データ
ズーム比     40.00 
広角      中間      望遠
焦点距離       11.00     69.55    440.00  
Fナンバー       2.10      2.09      4.10  
画角           26.57      4.52      0.72  
像高            5.50      5.50      5.50  
レンズ全長    401.74    401.74    401.74  
BF             10.07     10.07     10.07  
d10             0.68     94.56    123.53  
d16             0.50      7.52      5.54  
d18           141.39     30.16     21.57  
d21             9.86     20.19      1.79  
d45            10.07     10.07     10.07  
入射瞳位置     69.84    579.13   2533.83  
射出瞳位置  -2683.52  -2683.52  -2683.52  
前側主点位置   80.80    646.89   2901.96  
後側主点位置   -0.93    -59.48   -429.93  
ズームレンズ群データ
群  始面    焦点距離  レンズ構成長  前側主点位置  後側主点位置
1    1     161.84        52.20        26.30        -12.92
2   11     -26.93        15.32        -1.30        -15.13
3   17    -330.98         1.10         0.47         -0.13
4   19     -66.60         4.96         0.15         -2.57
5   22      78.88       165.66        76.48       -174.36
単レンズデータ
レンズ  始面  焦点距離
1       1   -249.99
2       3    225.77
3       5    499.74
4       7    405.64
5       9    718.64
6      11    -24.19
7      13    -40.32
8      15     40.40
9      17   -330.98
10      19    -35.90
11      20     78.34
12      23     70.38
13      25    231.40
14      27     58.44
15      28   -121.82
16      30     53.86
17      31    -25.10
18      33     94.50
19      35    -82.52
20      36     48.17
21      38     48.05
22      39    -24.46
23      41     75.72
24      43 
25      44 
【００５８】
＜数値実施例３＞
単位 mm
面データ
面番号i     ri        di       ndi       vdi      θgFi    有効径   焦点距離
1      210.06296   6.07687  1.433870   95.10    0.5373    114.266    839.438
2      490.30405   1.00000                                113.593           
3      224.56033   3.00000  1.834807   42.71    0.5642    110.962   -259.997
4      110.00664   1.07300                                105.788           
5      109.04325  16.13909  1.433870   95.10    0.5373    105.664    256.741
6     4424.50288  11.15000                                104.555           
7      126.24493   6.11321  1.433870   95.10    0.5373    101.236    800.585
8      195.13718   0.20000                                100.517           
9      129.34490   9.93743  1.433870   95.10    0.5373     99.584    374.873
10      611.07033   0.20000                                 98.741           
11      154.85895   5.63552  1.433870   95.10    0.5373     95.574    745.713
12      293.07570    (可変)                                 94.468           
13       65.47852   1.00000  2.001000   29.13    0.5997     31.533    -32.710
14       21.77703   9.28763                                 27.329           
15      -33.08475   0.90000  1.772499   49.60    0.5520     26.228    -29.606
16       76.14260   0.70000                                 26.527           
17       51.41584   5.76983  1.808095   22.76    0.6307     27.066     27.734
18      -38.42118    (可変)                                 27.014           
19      -31.39479   1.10000  1.772499   49.60    0.5520     26.824    -53.218
20     -132.82260    (可変)                                 26.958           
21      -46.68721   1.30000  1.717004   47.92    0.5605     26.638    -35.047
22       55.64767   3.15746  1.846490   23.90    0.6217     28.414     74.308
23      437.24951    (可変)                                 28.851           
24    -2927.66593   4.71791  1.607379   56.81    0.5483     34.908     82.748
25      -49.64514   0.15000                                 35.462           
26      195.10408   3.29607  1.518229   58.90    0.5457     36.055    165.933
27     -153.98173    (可変)                                 36.094           
28             ∞   1.00000                                 35.520           
29       44.79306   9.43204  1.487490   70.23    0.5300     35.148     54.269
30      -60.65636   1.50000  1.834000   37.17    0.5774     34.030    -65.046
31      552.48592   0.15000                                 33.416           
32       22.85959   8.30910  1.487490   70.23    0.5300     32.004     68.066
33       64.22955   1.50000  1.882997   40.76    0.5667     29.477    -36.446
34       21.28610  50.00000                                 26.518           
35      137.04791   4.64093  1.517417   52.43    0.5564     29.348     67.749
36      -46.84111   2.54355                                 29.298           
37       85.64039   1.20000  1.785896   44.20    0.5631     26.827    -49.105
38       26.53665   6.49533  1.517417   52.43    0.5564     25.555     33.780
39      -47.54557   2.01000                                 25.175           
40      -99.45718   5.44373  1.517417   52.43    0.5564     23.364     63.428
41      -25.22374   1.20000  1.834807   42.71    0.5642     22.624    -26.572
42      197.04397   0.66799                                 22.637           
43       28.37669   4.04093  1.487490   70.23    0.5300     22.921     64.833
44      257.13129   3.80000                                 22.513           
45             ∞  34.37500  1.608590   46.44    0.5664     31.250           
46             ∞  13.75000  1.516800   64.17    0.5347     31.250           
47             ∞   0.00000                                 31.250           
【００５９】
各種データ
ズーム比     40.00 
広角      中間      望遠
焦点距離       11.00     69.57    440.00  
Fナンバー       2.10      2.11      4.10  
画角           26.57      4.52      0.72  
像高            5.50      5.50      5.50  
レンズ全長    386.75    386.75    386.75  
BF              7.00      7.00      7.00  
d12             4.98     86.61    115.00  
d18             0.80      8.33      1.29  
d20           116.48     12.76     16.70  
d23            10.04     25.02      1.80  
d27             3.50      3.08      1.00  
d47             7.00      7.00      7.00  
入射瞳位置     93.01    624.56   2842.83  
射出瞳位置    387.71    387.71    387.71  
前側主点位置  104.33    706.85   3791.34  
後側主点位置   -4.00    -62.58   -433.00  
ズームレンズ群データ
群  始面    焦点距離  レンズ構成長  前側主点位置  後側主点位置
1    1     161.84        60.53        25.66        -21.45
2   13     -50.34        17.66        -7.25        -26.41
3   19     -53.22         1.10        -0.19         -0.81
4   21     -66.60         4.46         0.20         -2.25
5   24      55.51         8.16         3.42         -1.84
6   28      72.86       152.06        87.20        -55.33
単レンズデータ
レンズ  始面  焦点距離
1       1    839.44
2       3   -260.00
3       5    256.74
4       7    800.58
5       9    374.87
6      11    745.71
7      13    -32.71
8      15    -29.61
9      17     27.73
10      19    -53.22
11      21    -35.05
12      22     74.31
13      24     82.75
14      26    165.93
15      29     54.27
16      30    -65.05
17      32     68.07
18      33    -36.45
19      35     67.75
20      37    -49.10
21      38     33.78
22      40     63.43
23      41    -26.57
24      43     64.83
25      45
26      46
【００６０】
＜数値実施例４＞
単位 mm
面データ
面番号i     ri        di       ndi       vdi      θgFi    有効径   焦点距離
1      133.75354   6.24833  1.433870   95.10    0.5373    117.583    906.356
2      199.56924   1.00000                                116.786           
3      189.29688   3.00000  1.804000   46.57    0.5572    116.005   -247.991
4       96.65642   1.07300                                109.451           
5       95.95230  18.78274  1.433870   95.10    0.5373    109.405    236.880
6     1313.32305  11.15000                                108.221           
7      136.68838   8.72199  1.433870   95.10    0.5373    100.636    465.603
8      412.37152   0.20000                                 99.933           
9      311.26943   4.86909  1.433870   95.10    0.5373     99.513   1000.056
10     1089.24099   0.20000                                 98.818           
11      121.32814   7.75732  1.433870   95.10    0.5373     94.754    469.565
12      293.07570    (可変)                                 93.660           
13       58.30507   1.00000  2.000690   25.46    0.6133     33.063    -36.566
14       22.41453  11.31524                                 28.727           
15      -24.84358   0.90000  1.882997   40.76    0.5667     27.351    -35.308
16     -121.61849   0.70000                                 28.611           
17      110.69969   6.30923  1.922860   18.90    0.6495     29.529     37.135
18      -49.14178    (可変)                                 29.687           
19      -98.78852   1.10000  1.772499   49.60    0.5520     28.773    -66.913
20      110.05178    (可変)                                 28.297           
21      -51.04264   1.30000  1.717004   47.92    0.5605     28.239    -37.278
22       57.30301   3.13167  1.846490   23.90    0.6217     30.027     84.539
23      269.78672    (可変)                                 30.448           
24      731.92415   4.50368  1.607379   56.81    0.5483     37.060    151.350
25     -105.38942   0.15000                                 37.977           
26      126.33215   3.53077  1.518229   58.90    0.5457     39.189    175.768
27     -328.12184    (可変)                                 39.360           
28             ∞   1.00000                                 39.553           
29      291.14930   9.43204  1.487490   70.23    0.5300     39.756     71.018
30      -39.02500   1.50000  1.834000   37.17    0.5774     39.875   -190.462
31      -52.53418   0.15000                                 40.595           
32       47.98935   8.30910  1.487490   70.23    0.5300     38.562     57.493
33      -64.06914   1.50000  1.882997   40.76    0.5667     37.940    -47.596
34      125.61994  50.00000                                 36.767           
35      114.54698   4.64093  1.517417   52.43    0.5564     30.568    141.126
36     -201.14117   2.54355                                 30.036           
37       65.92120   1.20000  1.785896   44.20    0.5631     28.417    -85.491
38       33.09437   6.49533  1.517417   52.43    0.5564     27.399     38.823
39      -48.23466   2.01000                                 26.914           
40      -99.31102   5.44373  1.517417   52.43    0.5564     24.165     74.992
41      -28.51659   1.20000  1.834807   42.71    0.5642     22.459    -31.739
42      413.36921   0.66799                                 21.750           
43       40.59485   4.04093  1.487490   70.23    0.5300     21.242    126.119
44      114.83011   3.80000                                 20.569           
45             ∞  34.37500  1.608590   46.44    0.5664     31.250           
46             ∞  13.75000  1.516800   64.17    0.5347     31.250           
47             ∞   0.00000                                 31.250           
【００６１】
各種データ
ズーム比     40.00 
広角      中間      望遠
焦点距離       11.00     69.58    440.00  
Fナンバー       2.10      2.10      4.10  
画角           26.57      4.52      0.72  
像高            5.50      5.50      5.50  
レンズ全長    400.14    400.14    400.14  
BF              7.00      7.00      7.00  
d12             0.70     85.48    112.17  
d18             0.48      9.14      0.98  
d20           129.42     26.37     28.19  
d23            10.04     21.97      1.80  
d27             3.50      1.19      1.00  
d47             7.00      7.00      7.00  
入射瞳位置     91.53    674.07   3135.55  
射出瞳位置   -293.48   -293.48   -293.48  
前側主点位置  102.13    727.54   2931.25  
後側主点位置   -4.00    -62.58   -433.00  
ズームレンズ群データ
群  始面    焦点距離  レンズ構成長  前側主点位置  後側主点位置
1    1     161.84        63.00        26.96        -22.54
2   13     -43.60        20.22        -4.06        -24.07
3   19     -66.91         1.10         0.29         -0.33
4   21     -66.60         4.43         0.40         -2.03
5   24      81.61         8.18         2.98         -2.30
6   28      74.73       152.06        54.70        -89.43
単レンズデータ
レンズ  始面  焦点距離
1       1    906.36
2       3   -247.99
3       5    236.88
4       7    465.60
5       9   1000.06
6      11    469.57
7      13    -36.57
8      15    -35.31
9      17     37.14
10      19    -66.91
11      21    -37.28
12      22     84.54
13      24    151.35
14      26    175.77
15      29     71.02
16      30   -190.46
17      32     57.49
18      33    -47.60
19      35    141.13
20      37    -85.49
21      38     38.82
22      40     74.99
23      41    -31.74
24      43    126.12
25      45
26      46
【００６２】
＜数値実施例５＞
単位 mm
面データ
面番号i     ri        di       ndi       vdi      θgFi    有効径   焦点距離
1      131.89273   6.37363  1.433870   95.10    0.5373    117.512    884.796
2      197.72254   1.00000                                116.708           
3      187.56918   3.00000  1.816000   46.62    0.5568    115.920   -247.992
4       96.87752   1.07300                                109.392           
5       96.25984  18.75418  1.433870   95.10    0.5373    109.339    236.775
6     1386.50807  11.15000                                108.150           
7      135.72353   7.39036  1.433870   95.10    0.5373    100.489    586.041
8      285.49472   0.20000                                 99.785           
9      233.53768   6.20429  1.433870   95.10    0.5373     99.416    684.621
10     1073.75429   0.20000                                 98.714           
11      122.66344   7.65578  1.433870   95.10    0.5373     94.674    478.488
12      293.07570    (可変)                                 93.568           
13       66.75163   1.00000  2.000690   25.46    0.6133     34.240    -38.193
14       24.26271  11.50930                                 29.904           
15      -25.64238   0.90000  1.882997   40.76    0.5667     28.456    -41.416
16      -86.06041   0.70000                                 29.645           
17      144.31474   6.46147  1.922860   18.90    0.6495     30.374     37.445
18      -45.18018   0.48366                                 30.467           
19      -87.69877   1.10000  1.772499   49.60    0.5520     29.161    -52.021
20       75.24507    (可変)                                 28.389           
21      -54.09102   1.30000  1.717004   47.92    0.5605     27.970    -37.685
22       55.07687   3.05060  1.846490   23.90    0.6217     29.628     86.344
23      211.47936    (可変)                                 30.022           
24      328.70349   3.42086  1.607379   56.81    0.5483     37.141    215.706
25     -218.50217   0.15000                                 37.834           
26      112.27618   4.26968  1.518229   58.90    0.5457     38.995    296.377
27      407.49715    (可変)                                 39.464           
28             ∞   1.00000                                 39.612           
29      163.01054   9.43204  1.487490   70.23    0.5300     40.259     61.086
30      -35.89070   1.50000  1.834000   37.17    0.5774     40.469   -180.299
31      -47.94674   0.15000                                 41.484           
32       72.01768   8.30910  1.487490   70.23    0.5300     40.112     61.893
33      -50.25206   1.50000  1.882997   40.76    0.5667     39.688    -60.779
34     -737.80496  50.00000                                 39.418           
35       66.05279   4.64093  1.517417   52.43    0.5564     31.919    148.393
36      448.87983   2.54355                                 31.141           
37       83.61369   1.20000  1.785896   44.20    0.5631     29.816    -89.262
38       38.01535   6.49533  1.517417   52.43    0.5564     28.832     41.578
39      -47.15253   2.01000                                 28.411           
40      -99.41582   5.44373  1.517417   52.43    0.5564     25.441     71.858
41      -27.65806   1.20000  1.834807   42.71    0.5642     23.866    -31.421
42      580.49114   0.66799                                 23.155           
43       49.30343   4.04093  1.501270   56.50    0.5536     22.608    118.529
44      276.10611   3.80000                                 21.573           
45             ∞  34.37500  1.608590   46.44    0.5664     31.250           
46             ∞  13.75000  1.516800   64.17    0.5347     31.250           
47             ∞   0.00000                                 31.250           
【００６３】
各種データ
ズーム比     40.00 
広角      中間      望遠
焦点距離       11.00     69.58    440.00  
Fナンバー       2.10      2.10      4.10  
画角           26.57      4.52      0.72  
像高            5.50      5.50      5.50  
レンズ全長    403.26    403.26    403.26  
BF             10.00     10.00     10.00  
d12             0.97     85.81    111.56  
d20           129.35     35.23     28.64  
d23            10.04     20.40      1.78  
d27             3.50      2.41      1.87  
d47            10.00     10.00     10.00  
入射瞳位置     93.27    672.83   3155.82  
射出瞳位置   -257.62   -257.62   -257.62  
前側主点位置  103.82    724.32   2872.40  
後側主点位置   -1.00    -59.58   -430.00  
ズームレンズ群データ
群  始面    焦点距離  レンズ構成長  前側主点位置  後側主点位置
1    1     161.84        63.00        26.76        -22.74
2   13     -21.52        22.15         4.50        -11.97
3   21     -66.60         4.35         0.52         -1.86
4   24     124.83         7.84         1.25         -3.82
5   28      67.44       152.06        47.19       -100.49
単レンズデータ
レンズ  始面  焦点距離
1       1    884.80
2       3   -247.99
3       5    236.77
4       7    586.04
5       9    684.62
6      11    478.49
7      13    -38.19
8      15    -41.42
9      17     37.44
10      19    -52.02
11      21    -37.68
12      22     86.34
13      24    215.71
14      26    296.38
15      29     61.09
16      30   -180.30
17      32     61.89
18      33    -60.78
19      35    148.39
20      37    -89.26
21      38     41.58
22      40     71.86
23      41    -31.42
24      43    118.53
25      45
26      46
【００６４】
＜数値実施例６＞
単位 mm
面データ
面番号i     ri        di       ndi       vdi      θgFi    有効径   焦点距離
1   -25110.14280   6.00000  1.834807   42.73    0.5648    203.582   -384.675
2      327.15837   1.59003                                196.726           
3      321.68109  32.56730  1.433870   95.10    0.5373    196.600    421.518
4     -413.25245  32.25814                                195.291           
5      337.42453  16.36645  1.433870   95.10    0.5373    195.265    844.528
6     4082.93537   0.25000                                194.793           
7      258.04199  22.27056  1.433870   95.10    0.5373    191.328    582.698
8   -13870.84436   1.20000                                189.995           
9      165.53266  15.30800  1.433870   95.10    0.5373    175.221    819.559
10      300.37387    (可変)                                173.007           
11      572.85560   2.35000  1.882997   40.76    0.5667     50.043    -51.767
12       42.47898  18.65241                                 43.343           
13      -34.32253   1.45000  1.772499   49.60    0.5520     39.087    -63.653
14     -114.48795   7.69984  1.808095   22.76    0.6307     41.807     71.425
15      -39.80319   0.19709                                 43.607           
16      -58.21530   2.00000  1.696797   55.53    0.5434     43.680    -91.477
17     -651.73077    (可変)                                 45.694           
18      517.79308   7.28014  1.603112   60.64    0.5415     80.813    285.620
19     -258.28628   1.00500                                 81.995           
20      138.30845  20.76855  1.438750   94.93    0.5340     86.072    149.814
21     -120.09002   9.59366                                 86.322           
22      170.24037   2.50000  1.717362   29.52    0.6047     79.879   -156.766
23       67.62775   8.82607  1.438750   94.93    0.5340     76.353    359.235
24      113.51550    (可変)                                 75.695           
25      294.14761  14.10652  1.593490   67.00    0.5361     77.245    147.839
26     -123.42655    (可変)                                 76.840           
27             ∞   4.92616                                 33.372           
28      -69.17507   1.80000  1.816000   46.62    0.5568     31.665    -39.799
29       62.53126   5.11643  1.808095   22.76    0.6307     31.262     58.913
30     -200.73400   7.41605                                 31.083           
31      -28.94191   1.49977  1.816000   46.62    0.5568     30.102    -25.444
32       76.55422   9.97320  1.548141   45.79    0.5686     33.098     38.975
33      -28.46614  15.63678                                 34.429           
34      162.87792   9.19327  1.531717   48.84    0.5631     36.429     65.718
35      -43.88345   1.78139                                 36.342           
36      -90.37000   1.50000  1.882997   40.76    0.5667     33.978    -33.943
37       45.59080   8.60872  1.518229   58.90    0.5457     33.317     43.578
38      -42.19588   0.59328                                 33.433           
39      170.24410   6.58015  1.496999   81.54    0.5375     31.604     56.333
40      -33.19308   1.50000  1.882997   40.76    0.5667     30.967    -40.510
41     -437.83142   0.56165                                 30.865           
42       82.70616   5.72967  1.522494   59.84    0.5440     30.636     71.005
43      -66.15100  10.00000                                 30.136           
44             ∞  33.00000  1.608590   46.44    0.5664     40.000           
45             ∞  13.20000  1.516330   64.14    0.5353     40.000           
46             ∞   0.00000                                 50.000           
非球面データ
第11面
K =-5.06977e+002  A 4= 8.85363e-007  A 6=-2.49171e-010  A 8= 2.80963e-014  
第18面
K =-7.54553e-001  A 4=-3.41767e-007  A 6=-4.00004e-012  A 8=-4.18689e-015  
【００６５】
各種データ
ズーム比     79.99 
広角       中間       望遠
焦点距離        10.00      89.44     799.90  
Fナンバー        1.80       1.80       4.20  
画角            28.81       3.52       0.39  
像高             5.50       5.50       5.50  
レンズ全長     725.60     725.60     725.60  
BF              11.72      11.72      11.72  
d10              2.94     142.63     180.77  
d17            325.65     138.28       2.78  
d24             12.28      30.65      67.33  
d26             10.14      39.46     100.14  
d46             11.72      11.72      11.72  
入射瞳位置     147.70    1072.75   11741.95  
射出瞳位置  -24235.14  -24235.14  -24235.14  
前側主点位置   157.70    1161.86   12515.46  
後側主点位置     1.72     -77.71    -788.18  
ズームレンズ群データ
群  始面    焦点距離  レンズ構成長  前側主点位置  後側主点位置
1    1     246.00       127.81        74.83        -19.86
2   11     -28.50        32.35         6.49        -18.82
3   18     137.46        49.97        -5.27        -38.64
4   25     147.84        14.11         6.31         -2.65
5   27      61.57       138.62        61.41          9.03
単レンズデータ
レンズ  始面  焦点距離
1       1   -384.67
2       3    421.52
3       5    844.53
4       7    582.70
5       9    819.56
6      11    -51.77
7      13    -63.65
8      14     71.43
9      16    -91.48
10      18    285.62
11      20    149.81
12      22   -156.77
13      23    359.23
14      25    147.84
15      28    -39.80
16      29     58.91
17      31    -25.44
18      32     38.98
19      34     65.72
20      36    -33.94
21      37     43.58
22      39     56.33
23      40    -40.51
24      42     71.00
25      44
26      45
【００６６】
＜数値実施例７＞
単位 mm
面データ
面番号i     ri        di       ndi       vdi      θgFi    有効径   焦点距離
1     -462.31573   2.20000  1.882997   40.76    0.5667     90.027    -99.360
2      109.30856   3.35229                                 84.667           
3      134.13128  16.02660  1.433870   95.10    0.5373     84.615    158.763
4     -137.17894   9.04050                                 84.045           
5      150.39507   9.19607  1.433870   95.10    0.5373     76.162    217.082
6     -249.00153   0.15000                                 75.319           
7       85.12758   8.06231  1.433870   95.10    0.5373     65.103    190.346
8    -2931.92466   0.15000                                 64.216           
9       51.61386   7.85260  1.433870   95.10    0.5373     56.925    151.459
10      227.37570    (可変)                                 56.124           
11     -310.32731   0.90000  2.003300   28.27    0.5980     21.898    -14.674
12       15.61403   4.60329                                 18.399           
13      -41.15275   5.79711  1.922860   18.90    0.6495     18.204     21.411
14      -14.37680   0.70000  1.882997   40.76    0.5667     18.379    -13.868
15       87.92415   0.20000                                 18.453           
16       30.36409   3.06348  1.666800   33.05    0.5957     18.716     46.956
17      784.99832    (可変)                                 18.504           
18      -41.83358   0.70000  1.756998   47.82    0.5565     18.798    -21.101
19       26.23641   2.75535  1.846490   23.90    0.6217     20.059     48.795
20       67.29618    (可変)                                 20.482           
21     -183.99508   4.04673  1.638539   55.38    0.5484     23.483     47.183
22      -26.20784   0.15000                                 24.273           
23     -230.48273   2.46359  1.516330   64.14    0.5353     24.977    157.695
24      -60.55272    (可変)                                 25.276           
25             ∞   1.30000                                 25.479           
26       32.16093   6.87396  1.517417   52.43    0.5564     25.836     35.421
27      -39.91453   0.90000  1.834807   42.71    0.5642     25.339    -35.813
28      123.06847  32.40000                                 25.068           
29       66.78446   5.69362  1.496999   81.54    0.5375     26.152     55.622
30      -46.06015   2.22280                                 25.871           
31      200.96524   1.40000  1.834030   37.20    0.5775     24.243    -25.397
32       19.21121   5.63992  1.487490   70.23    0.5300     23.274     47.224
33      103.12642   1.93515                                 23.532           
34     1557.71280   7.31033  1.501270   56.50    0.5536     23.895     33.202
35      -16.86785   1.40000  1.834807   42.71    0.5642     24.271    -34.757
36      -41.49741   0.14985                                 26.400           
37      104.48429   6.21013  1.501270   56.50    0.5536     27.470     45.563
38      -28.80137   4.00000                                 27.695           
39             ∞  33.00000  1.608590   46.44    0.5664     40.000           
40             ∞  13.20000  1.516330   64.14    0.5353     40.000           
41             ∞   0.00000                                 40.000           
【００６７】
各種データ
ズーム比     17.00 
広角     中間     望遠
焦点距離        8.00    33.07   136.00  
Fナンバー       1.91     1.94     2.50  
画角           34.51     9.44     2.32  
像高            5.50     5.50     5.50  
レンズ全長    270.34   270.34   270.34  
BF              7.49     7.49     7.49  
d10             1.05    33.34    48.74  
d17            51.11     6.20     3.09  
d20             4.70    10.23     2.88  
d24             0.95     8.03     3.09  
d41             7.49     7.49     7.49  
入射瞳位置     51.60   164.87   543.25  
射出瞳位置    196.81   196.81   196.81  
前側主点位置   59.94   203.72   776.95  
後側主点位置   -0.51   -25.58  -128.51  
ズームレンズ群データ
群  始面    焦点距離  レンズ構成長  前側主点位置  後側主点位置
1    1      65.01        56.03        35.83         -0.11
2   11     -13.49        15.26         0.20        -10.77
3   18     -36.17         3.46         0.81         -1.04
4   21      36.66         6.66         3.30         -0.93
5   25      51.48       123.64        65.08        -49.62
単レンズデータ
レンズ  始面  焦点距離
1       1    -99.36
2       3    158.76
3       5    217.08
4       7    190.35
5       9    151.46
6      11    -14.67
7      13     21.41
8      14    -13.87
9      16     46.96
10      18    -21.10
11      19     48.80
12      21     47.18
13      23    157.70
14      26     35.42
15      27    -35.81
16      29     55.62
17      31    -25.40
18      32     47.22
19      34     33.20
20      35    -34.76
21      37     45.56
22      39
23      40
【００６８】
【表１】
2018116182.tif 000004
【実施例８】
【００６９】
（撮像装置）
図１５は実施例１乃至７のズームレンズを撮影光学系として用いた撮像装置（テレビカメラシステム）の概略図である。図１５において１０１は実施例１〜７のいずれかのズームレンズである。１２４はカメラである。ズームレンズ１０１はカメラ１２４に対して着脱可能となっている。カメラ１２４にズームレンズ１０１を装着することで撮像装置１２５が構成される。ズームレンズ１０１は合焦用の第１レンズ群Ｆ、変倍レンズ群ＬＺ、結像用のリレーレンズ群ＵＲを有している。変倍レンズ群ＬＺは変倍に際して移動するレンズ群が含まれている。ＳＰは開口絞りである。１１５は変倍レンズ群ＬＺを光軸方向に駆動するヘリコイドやカム等の駆動機構である。１１７、１１８は駆動機構１１５及び開口絞りＳＰを電動駆動するモータ（駆動手段）である。１２０、１２１は、変倍レンズ群ＬＺの光軸上の位置や、開口絞りＳＰの絞り径を検出するためのエンコーダやポテンショメータ、あるいはフォトセンサ等の検出器である。カメラ１２４において、１０９はカメラ１２４内の光学フィルタや色分解光学系に相当するガラスブロック、１１０はズームレンズ１０１によって形成された被写体像を受光するＣＣＤセンサやＣＭＯＳセンサ等の固体撮像素子（光電変換素子）である。なお、電子撮像素子を用いる場合、電子的に収差補正をすることで出力画像を更に高画質化することができる。また、１１１、１２２はカメラ１２４及びズームレンズ１０１の各種の駆動を制御するＣＰＵである。
【００７０】
このように、本発明のズームレンズをデジタルビデオカメラやテレビカメラやシネマ用カメラに適用することにより、高い光学性能を有する撮像装置を実現している。
【符号の説明】
【００７１】
Ｕ１：第１レンズ群
Ｕ２：第２レンズ群
ＵＲ：リレーレンズ群
【図１】
2018116182.tif 000005
【図２】
2018116182.tif 000006
【図３】
2018116182.tif 000007
【図４】
2018116182.tif 000008
【図５】
2018116182.tif 000009
【図６】
2018116182.tif 000010
【図７】
2018116182.tif 000011
【図８】
2018116182.tif 000012
【図９】
2018116182.tif 000013
【図１０】
2018116182.tif 000014
【図１１】
2018116182.tif 000015
【図１２】
2018116182.tif 000016
【図１３】
2018116182.tif 000017
【図１４】
2018116182.tif 000018
【図１５】
2018116182.tif 000019
【手続補正書】
【提出日】平成29年12月20日(2017.12.20)
【手続補正１】
【補正対象書類名】特許請求の範囲
【補正対象項目名】全文
【補正方法】変更
【補正の内容】
【特許請求の範囲】
【請求項１】
物体側から像側へ順に、変倍のためには移動しない正の屈折力を有する第１レンズ群、広角端から望遠端への変倍のために像側に移動する負の屈折力を有する第２レンズ群、最も像側に配置され変倍のためには移動しないリレーレンズ群を有するズームレンズであって、
前記第１レンズ群は、物体側から像側へ順に、負レンズ、正レンズ、正レンズ、正レンズ、正レンズの５枚のレンズ、または正レンズ、負レンズ、正レンズ、正レンズ、正レンズ、正レンズの６枚のレンズで構成され、
前記第１レンズ群のうちの負レンズの屈折率をＮｎ、前記負レンズのアッべ数をνｎ、前記負レンズの焦点距離をｆｎ、前記第１レンズ群の焦点距離をｆ１として、
３９＜νｎ＜４８
２．２４＜Ｎｎ＋０．０１×νｎ＜２．３２
１．７９＜Ｎｎ＜１．９１
１．５＜｜ｆｎ／ｆ１｜＜２．０
なる条件式を満足することを特徴とするズームレンズ。
なお、フラウンフォーファ線のＦ線、ｄ線、Ｃ線に対する屈折率をそれぞれＮＦ、Ｎｄ、ＮＣとして、アッベ数νは、
ν＝（Ｎｄ−１）／（ＮＦ−ＮＣ）
なる式で表されるものとする。
【請求項２】
前記第１レンズ群を構成する前記正レンズの分散の平均値をνｐａとして、
７７＜νｐａ＜１００
なる条件式を満足することを特徴とする請求項１に記載のズームレンズ。
【請求項３】
物体側から像側へ順に、前記第１レンズ群、前記第２レンズ群、変倍のために移動する第３レンズ群、前記リレーレンズ群から構成されることを特徴とする請求項１又は２に記載のズームレンズ。
【請求項４】
物体側から像側へ順に、前記第１レンズ群、前記第２レンズ群、変倍のために移動する第３レンズ群、変倍のために移動する第４レンズ群、前記リレーレンズ群から構成されることを特徴とする請求項１又は２に記載のズームレンズ。
【請求項５】
物体側から像側へ順に、前記第１レンズ群、前記第２レンズ群、変倍のために移動する第３レンズ群、変倍のために移動する第４レンズ群、変倍のために移動する第５レンズ群、前記リレーレンズ群から構成されることを特徴とする請求項１又は２に記載のズームレンズ。
【請求項６】
前記第２レンズ群を構成する正レンズのうち最もアッべ数の小さい正レンズのアッベ数および部分分散比をそれぞれνｐ２およびθｐ２、前記第２レンズ群を構成する負レンズのうち最もアッべ数の小さい負レンズのアッベ数および部分分散比をそれぞれνｎ２およびθｎ２として、
３．１×１０−３＜（θｐ２−θｎ２）／（νｎ２−νｐ２）＜６．０×１０−３
なる条件式を満足することを特徴とする請求項１乃至５いずれか１項に記載のズームレンズ。
なお、フラウンフォーファ線のｇ線、Ｆ線、Ｃ線に対する屈折率をそれぞれＮｇ、ＮＦ、ＮＣとして、部分分散比θは、
θ＝（Ｎｇ−ＮＦ）／（ＮＦ−ＮＣ）
なる式で表されるものとする。
【請求項７】
前記第１レンズ群の焦点距離をｆ１、前記第２レンズ群の焦点距離をｆ２として、
３＜｜ｆ１／ｆ２｜＜９
なる条件式を満足することを特徴とする請求項１乃至６のいずれか１項に記載のズームレンズ。
【請求項８】
請求項１乃至７のいずれか１項に記載のズームレンズと、該ズームレンズによって形成され像を受光する撮像素子と、を有することを特徴とする撮像装置。 
【手続補正２】
【補正対象書類名】明細書
【補正対象項目名】０００８
【補正方法】変更
【補正の内容】
【０００８】
上記目的を達成するために、本発明は、物体側から順に、変倍のためには移動しない正の屈折力の第１レンズ群、広角端から望遠端への変倍のために像側に移動する負の屈折力の第２レンズ群、最も像側に配置され変倍のためには移動しないリレーレンズ群を有するズームレンズであって、
第１レンズ群は、物体側から像側へ順に、負レンズ、正レンズ、正レンズ、正レンズ、正レンズの５枚のレンズ、または正レンズ、負レンズ、正レンズ、正レンズ、正レンズ、正レンズの６枚のレンズで構成され、
前記第１レンズ群のうちの負レンズの屈折率をＮｎ、前記負レンズのアッべ数をνｎ、前記負レンズの焦点距離をｆｎ、前記第１レンズ群の焦点距離をｆ１として、
３９＜νｎ＜４８  ・・・（１）
２．２４＜Ｎｎ＋０．０１×νｎ＜２．３２  ・・・（２）
１．７９＜Ｎｎ＜１．９１  ・・・（３）
１．５＜｜ｆｎ／ｆ１｜＜２．０  ・・・（４）
なる条件式を満足することを特徴とするズームレンズである。
なお、フラウンフォーファ線のＦ線、ｄ線、Ｃ線に対する屈折率をそれぞれＮＦ、Ｎｄ、ＮＣとして、アッベ数νは、
ν＝（Ｎｄ−１）／（ＮＦ−ＮＣ）
なる式で表されるものとする。
本発明の更なる目的又はその他の特徴は、以下、添付の図面を参照して説明される好ましい実施例等によって明らかにされるであろう。